(57)【特許請求の範囲】
【請求項１】
ネジ部の下方にタンパーエビデンス環状部が抜脱困難に係止されているスパウトとチューブ部材とを接続するためのアダプタであって、
チューブ部材を接続可能な接続部と、締方向に回転させることによりスパウトのネジ部に螺合可能な取付部と、を有し、
前記取付部には、下方に延びる延出部が設けられ、
前記延出部の下方部には、前記取付部を前記スパウトのネジ部に螺合したときに前記タンパーエビデンス環状部の下端面に係止可能な爪部が設けられていることを特徴とするアダプタ。
【請求項２】
外周面にネジ部が形成されたスパウトと、前記スパウトのネジ部の下方において抜脱困難に係止されているタンパーエビデンス環状部と、を有するスパウト付きパウチと；締方向に回転させることにより前記スパウトのネジ部に螺合可能な取付部と、チューブ部材を接続可能な接続部と、を有するアダプタと；を備え、
前記取付部には、下方に延びる延出部が設けられ、
前記延出部の下方部には、前記取付部を前記スパウトに螺合したときに前記タンパーエビデンス環状部の下端面に係止可能な爪部が設けられていることを特徴とするアダプタを備えるスパウト付きパウチ。
【発明の詳細な説明】
【技術分野】
【０００１】
本発明は、経腸栄養剤などが充填されたスパウト付きパウチのスパウトと胃ろうカテーテルなどのチューブ部材とを接続するためのアダプタに関する。
【背景技術】
【０００２】
従来、ビタミン類やアミノ酸などを含む経腸栄養剤、流動食、水分補強ゼリーなどを患者に投与するため、経腸栄養剤などが充填されたスパウト付きパウチが用いられている。
このスパウト付きパウチ内の充填物を患者に投与する際には、スパウトにカテーテルのようなチューブ部材を取り付けるが、一般には、スパウトとチューブ部材は、アダプタを介して取り付けられる。
特許文献１には、チューブ部材を圧入する先細テーパ状の接続部とスパウトに取り付ける取付部とを有し、前記接続部に形状の異なる滑り止め部が形成されている、アダプタが開示されている。
【０００３】
かかるアダプタは、その取付部をスパウト付きパウチのスパウトのネジ部に螺合し、且つ、その接続部にチューブ部材を接続することによって使用される。
しかしながら、アダプタの接続部には患者に繋がったチューブ部材が接続されているので、使用している間に、アダプタの取付部がスパウトから緩むおそれがある。アダプタが緩むと、スパウトとアダプタの隙間から充填物が漏れてしまう。
また、使用途中で、患者などが誤ってアダプタを回してスパウトから外すおそれもある。
【先行技術文献】
【特許文献】
【０００４】
【特許文献１】特開２００９−１３６４２７号公報
【発明の概要】
【発明が解決しようとする課題】
【０００５】
本発明の目的は、スパウトに取付けた後にスパウトから緩まないアダプタを提供することである。
本発明の他の目的は、スパウトに取付けた後にスパウトから緩まないアダプタを備えるスパウト付きパウチを提供することである。
【課題を解決するための手段】
【０００６】
本発明のアダプタは、ネジ部の下方にタンパーエビデンス環状部が抜脱困難に係止されているスパウトとチューブ部材とを接続するためのアダプタであって、チューブ部材を接続可能な接続部と、締方向に回転させることによりスパウトのネジ部に螺合可能な取付部と、を有し、前記取付部には、下方に延びる延出部が設けられ、前記延出部の下方部には、前記取付部を前記スパウトのネジ部に螺合したときに前記タンパーエビデンス環状部の下端面に係止可能な爪部が設けられている。
【０００７】
上記アダプタは、スパウトに対して抜脱困難なタンパーエビデンス環状部の下端面に係止可能な爪部を有する延出部が取付部に設けられている。スパウトに抜脱困難に係止されたタンパーエビデンス環状部は、上方に移動させることが困難であるため、アダプタを緩方向に回転させようとしても、タンパーエビデンス環状部に係止されたアダプタを上方に移動させることは困難である。従って、スパウトに取り付けたアダプタがスパウトから緩むことがない。
【０００８】
本発明のアダプタを備えるスパウト付きパウチは、外周面にネジ部が形成されたスパウトと、前記スパウトのネジ部の下方において抜脱困難に係止されているタンパーエビデンス環状部と、を有するスパウト付きパウチと；締方向に回転させることにより前記スパウトのネジ部に螺合可能な取付部と、チューブ部材を接続可能な接続部と、を有するアダプタと；を備え、前記取付部には、下方に延びる延出部が設けられ、前記延出部の下方部には、前記取付部を前記スパウトに螺合したときに前記タンパーエビデンス環状部の下端面に係止可能な爪部が設けられている。
【発明の効果】
【０００９】
本発明のアダプタは、スパウト付きパウチのスパウトに取り付けた後、スパウトから緩まない。かかるアダプタを使用すれば、スパウト付きパウチから充填物を注出している際に、アダプタとスパウトの間から充填物が漏れることもなく、又、患者などが誤ってアダプタをスパウトから外すことも防止できる。
【図面の簡単な説明】
【００１０】
【図１】本発明の１つの実施形態に係るアダプタを備えるスパウト付きパウチの正面図。ただし、スパウト付きパウチの袋は、その一部を省略して表している（他の図も同様）。
【図２】本発明の１つの実施形態に係るアダプタの正面図。
【図３】同底面図。
【図４】図２のＩＶ−ＩＶ線で切断した縦断面図。
【図５】変形例に係るアダプタの縦断面図。
【図６】図１のＶＩ−ＶＩ線で切断した拡大端面図。
【図７】スクリューキャップ及びタンパーエビデンス環状部が取り付けられていない状態のスパウト付きパウチの正面図。
【図８】スクリューキャップを取り外し、タンパーエビデンス環状部が残った状態のスパウト付きパウチの正面図。
【図９】アダプタを取り付けたスパウト付きパウチの正面図。
【図１０】図９のＸ−Ｘ線で切断した縦断面図。ただし、スパウトの左半分は、断面で表していない。
【図１１】他の実施形態に係るアダプタの正面図。
【図１２】他の実施形態に係るアダプタの縦断面図。
【発明を実施するための形態】
【００１１】
以下、本発明の好ましい実施形態について、図面を参照しつつ具体的に説明する。
＜アダプタを備えるスパウト付きパウチについて＞
図１において、本発明のアダプタ１を備えるスパウト付きパウチ１０は、アダプタ１と、スパウト付きパウチ１０と、を備えた充填物の注出具である。
このアダプタ１を備えるスパウト付きパウチ１０は、スパウト７とスパウト７のネジ部の下方において抜脱困難に係止されているタンパーエビデンス環状部９とを有するスパウト付きパウチ１０と、スパウト７のネジ部に螺合可能な取付部３とチューブ部材を接続可能な接続部２とを有するアダプタ１と、を備え、取付部３には、タンパーエビデンス環状部９の下端面に係止可能な爪部が設けられている。
アダプタ１は、他端部が使用者に繋げられたチューブ部材の一端部と、スパウト付きパウチ１０のスパウト７と、を接続するために使用される。
アダプタ１は、チューブ部材を接続可能な接続部２と、スパウト７に螺合可能な取付部３と、取付部３から下方に延びる延出部５と、を有する。
スパウト付きパウチ１０は、充填物が封入された袋６（一部省略して図示している）と、袋６に装着された充填物を注出する注出口を有するスパウト７と、下方にタンパーエビデンス環状部９を有する。前記スパウト７の注出口は、スクリューキャップ８によって閉栓されている。
以下、アダプタ及びスパウト付きパウチの具体的な構成をそれぞれ説明する。
【００１２】
＜アダプタについて＞
図２〜図４に於いて、本発明のアダプタ１は、スパウト付きパウチ１０のスパウト７とチューブ部材とを接続する部材である。
アダプタ１は、チューブ部材の一端部を接続するための接続部２と、締方向に回転させることによりスパウト７のネジ部に螺合可能な取付部３と、接続部２及び取付部３の間に形成された中間部４と、取付部３から下方に延びる延出部５と、を有する。
前記接続部２、中間部４、取付部３及び延出部５は、ポリエチレンやポリプロピレンなどのオレフィン系樹脂などの合成樹脂又は金属などを用いて一体的に形成されている。接続部２、中間部４、取付部３及び延出部５は、それぞれ筒状である。接続部２、中間部４、取付部３及び延出部５の内部の各空洞は、軸方向に連通されている。従って、アダプタ１の内部には、軸方向に延びる１つの通路１１が形成されている。
【００１３】
接続部２は、先端側に向かうに従って次第に小径となった略円錐台筒状である。
接続部２及び中間部４の各外周面には、滑り止め加工として複数の突起２ａ，４ａが形成されている。接続部２の外周面に形成された複数の突起２ａは、断面略鋸刃状であり、一方、中間部４の外周面に形成された複数の突起４ａは、断面略半円状である。
なお、上記各突起２ａ，４ａの形状は異なっているが、何れもが断面略鋸刃状又は略半円状であってもよい。
【００１４】
取付部３は、略円筒状であり、その内周面にはネジ部３１が形成されている。取付部３は、それを締方向に回転させることにより、前記ネジ部３１を介して、スパウト付きパウチ１０のスパウト７のネジ部に螺合可能である。前記締方向は、アダプタ１の軸回りの一方向であり、一般的には、アダプタ１の軸を上から見た場合の時計回り方向である。
延出部５は、取付部３をスパウト７に完全に螺合させた状態でアダプタ１を緩方向に回転させたときに、その緩方向の回転を規制するための部分である。前記緩方向は、アダプタ１の軸回りの他方向であって、アダプタ１の締方向と反対の方向である。
【００１５】
延出部５は、取付部３の下端部から下方に延設されている。
具体的には、延出部５は、スパウト７に抜脱困難に係止されたタンパーエビデンス環状部９の外周面よりも若干大きな内周面を有する筒状部である。従って、延出部５は、タンパーエビデンス環状部９に外嵌可能である。この延出部５は、アダプタ１の取付部３をスパウト７のネジ部に螺合していくことに従って、タンパーエビデンス環状部９の外側に嵌まっていく。
【００１６】
また、延出部５は、アダプタ１の取付部３をスパウト７のネジ部に完全に螺合したときに、前記タンパーエビデンス環状部９の下端面よりも下方に突出する下方部５ａを有する。
この下方部５ａの内面の一部分には、前記タンパーエビデンス環状部９の下端面に係止可能な爪部５１が内向きに突設されている。
なお、本明細書において、完全に螺合とは、アダプタ又はスクリューキャップとスパウトとの間から充填物が漏れないように、アダプタ又はスクリューキャップがスパウトに螺合した状態をいう。
【００１７】
前記爪部５１は、延出部５の下方部５ａの内周面から上方向に延びる傾斜面５１１（以下、爪部傾斜面という）と、タンパーエビデンス環状部９の下端面に対向する係合面５１２（以下、爪部係合面という）と、を有する。
爪部傾斜面５１１は、図４に示すように、延出部５の軸方向に対して鈍角状に延出された面である。爪部傾斜面５１１と延出部５の軸方向（軸線）の成す角は、鈍角であれば特に限定されず、例えば、１２０度〜１７５度であり、好ましくは、１３５度〜１７０度である。
爪部係合面５１２は、爪部傾斜面５１１の先端部に形成されている。
【００１８】
本実施形態では、上記爪部傾斜面５１１及び爪部係合面５１２を有する爪部５１は、図図４に示すように、延出部５の内周面から上方向に向かって突設され且つ後端部が前記内周面に繋がった板状部から構成されている。
爪部５１は、アダプタ１をスパウト７に螺合していくときに、延出部５とタンパーエビデンス環状部９の外周面の間に介在するが、板状部からなる爪部５１は、その板バネ作用によって延出部５の内周面に密着するので、アダプタ１をスパウト７に取り付ける際に、延出部５をタンパーエビデンス環状部９に外嵌でき且つタンパーエビデンス環状部９の下端面から爪部５１を突出させて爪部５１にて係止できる。
【００１９】
もっとも、爪部５１は、板状部から形成されていなくてもよく、例えば、図５に示すように、爪部５１は、爪部傾斜面５１１と爪部係合面５１２を有する中実状の凸部から構成されていてもよい。
爪部５１が中実状の凸部から構成されていても、取付部３をスパウト７に螺合していくとき、爪部５１や延出部５が若干変形するので、延出部５をタンパーエビデンス環状部９に外嵌でき且つタンパーエビデンス環状部９の下端面から爪部５１を突出させて爪部５１にて係止できる。
【００２０】
爪部５１の数は、特に限定されず、少なくとも１つ設けられ、好ましくは２つ以上（複数）である。なお、本実施形態では、４つの爪部５１が設けられている。
爪部５１が複数設けられる場合、各爪部５１は、延出部５の内周面の周方向に所定間隔を開けて設けられ、好ましくは、図３に示すように、等間隔に設けられる。
【００２１】
＜スパウト付きパウチについて＞
スパウト付きパウチ１０は、図１に示すように、袋６と、袋６に装着されたスパウト７と、下方にタンパーエビデンス環状部９を有する。スパウト７のネジ部は、スクリューキャップ８が螺合可能である。
袋６内には、充填物が充填されている。充填物は特に限定されず、例えば、経腸栄養剤、流動食、水分補強ゼリーなどが挙げられる。
【００２２】
前記スパウト７の注出口は、スクリューキャップ８によって閉栓されている。着脱可能なスクリューキャップ８によって注出口が閉栓され得るスパウト付きパウチ１０は、スパウト７の注出口から充填物を充填できる。すなわち、スパウト７が取り付けられた袋２について、スパウト７の注出口を通じて袋２内に充填物を充填した後、タンパーエビデンス環状部９が一体的に設けられたスクリューキャップ８をスパウト７に螺合することにより注出口を閉栓する。このようにしてスクリューキャップ８によって注出口が閉栓されたスパウト付きパウチ１０を得ることができる。
このようにスパウト７から袋２内に充填物を充填できるので、袋２の内部に生じるデッドスペース（充填物が充填されていない空間）を小さくできる。一般的にスパウトが取り付けられていない袋の開口部から充填物を充填すると、比較的大きなデッドスペースが生じるが、上記スパウト付きパウチ１０にあっては、デッドスペースが小さくなるため、正味の充填量に適合した容量の袋を用いることができる。このため、本発明では、袋のコストや保管運搬費の低減を図ることができる。さらに、上記スパウト付きパウチ１０に対する充填物の充填は、既存の充填装置を用いて行うことができるので、新たな設備投資を行う必要もない。
スパウト７、スクリューキャップ８及びタンパーエビデンス環状部９の材質は特に限定されないが、通常、これらはポリエチレンやポリプロピレンなどのオレフィン系樹脂などの合成樹脂によって形成される。
また、袋６は、周囲を熱シールなどで接着した柔軟なフィルムから形成されている。
【００２３】
前記スクリューキャップ８の内周面には、スパウト７に螺合するネジ部（図示せず）が形成されている。スクリューキャップ８は、それを締方向に回転させることにより、前記ネジ部を介してスパウト７の外周面のネジ部に螺合可能である。前記締方向は、アダプタ１の締方向と同じ方向であり、一般的には、スクリューキャップ８の軸を上から見た場合の時計回り方向である。なお、スクリューキャップの緩方向は、前記締方向と反対の方向である。
【００２４】
さらに、スクリューキャップ８の下部は、脆弱な細い架橋部８３を介して、タンパーエビデンス環状部９と一体的に連結されている。架橋部８３は、スクリューキャップ８とタンパーエビデンス環状部９の間に少なくとも１箇所設けられ、好ましくは、スクリューキャップ８の周方向に等間隔に２箇所〜４箇所設けられる。架橋部８３は、タンパーエビデンス環状部９がスクリューキャップ８から不用意に外れない程度に両者を連結できる細い線状部である。
上記タンパーエビデンス環状部９は、スクリューキャップ８をスパウト７に完全に螺合させた状態において、スパウト７に抜脱困難に係止されている。
具体的には、タンパーエビデンス環状部９の内周面には、図６に示すように、スパウト７の係合部７２に係合する被係合部９１が形成されている。
この被係合部９１は、タンパーエビデンス環状部９の内周面からスクリューキャップ８の緩方向に延びる被傾斜面９１１と、スクリューキャップ８の締方向に対向する被係合面９１２と、を有する。
【００２５】
被傾斜面９１１は、タンパーエビデンス環状部９の内周面の接線（厳密には、内周面を形作る円形線に対して引いた接線）に対して鈍角状に延出された面である。前記被傾斜面９１１と内周面の接線の成す角は、鈍角であれば特に限定されず、例えば、１２０度〜１７５度であり、好ましくは、１３５度〜１７０度である。
被係合面９１２は、被傾斜面９１１の先端部（緩方向先端部）に形成されている。
【００２６】
上記被係合部９１の数は、特に限定されず、少なくとも１つ設けられ、好ましくは２つ以上（複数）である。なお、本実施形態では、８つの被係合部９１が設けられている。
被係合部９１が複数設けられる場合、各被係合部９１は、タンパーエビデンス環状部９の内周面の周方向に所定間隔を開けて設けられ、好ましくは、一定間隔（等間隔）に設けられる。
【００２７】
スパウト７は、上端に注出口が開口された略円筒状であり、図７に示すように、その外周面にはネジ部７１が形成されている。
また、スパウト７の外周面の、前記ネジ部７１の下方には、タンパーエビデンス環状部９の被係合部９１に係合する係合部７２が形成されている。
【００２８】
スパウト７の係合部７２は、図６に示すように、スパウト７の外周面からスクリューキャップ８の締方向に延びる傾斜面７２１と、スクリューキャップ８の緩方向に対向する係合面７２２と、を有する。
傾斜面７２１は、上記被傾斜面９１１と同様に、スパウト７の外周面の接線に対して鈍角状に延出された面である。傾斜面７２１の具体的な傾斜角度は、上記被傾斜面９１１と同様である。
係合面７２２は、例えば、傾斜面７２１の先端部に形成され、スパウト７の外周面の接線に対して略直交するような面とされている。
【００２９】
スパウト７の係合部７２の数は、特に限定されず、少なくとも１つ設けられ、好ましくは２つ以上（複数）であり、より好ましくは被係合部９１の数の１／２倍である。なお、本実施形態では、４つの係合部７２が設けられ、好ましくは、これらが一定間隔（等間隔）で設けられている。
【００３０】
さらに、前記ネジ部７１と係合部７２の間におけるスパウト７の外周面には、図７に示すように、その周方向に渡って環状の小突部７３が外側に向かって突設されている。
環状の小突部７３の突出頂部の外径は、スクリューキャップ８の下方内周面の内径よりも僅かに小さく且つタンパーエビデンス環状部９の上方内周面の内径よりも僅かに大きい。
スクリューキャップ８がスパウト７に完全に螺合した状態において、タンパーエビデンス環状部９の上端面はスパウト７の小突部７３と係合部７２の間に位置し且つタンパーエビデンス環状部９の被係合部９１はスパウト７の係合部７２に係合される。
【００３１】
上記スパウト付きパウチ１０においては、上記タンパーエビデンス環状部９の被係合部９１が上記スパウト７の係合部７２に係合しているので、タンパーエビデンス環状部９は、スパウト７に対して締方向に回転可能であるが、緩方向には回転できない。
従って、タンパーエビデンス環状部９を有するスクリューキャップ８をスパウト７のネジ部７１に締方向に回転させることにより、スクリューキャップ８をスパウト７に完全に螺合させることができる。
【００３２】
一方、完全に螺合したスクリューキャップ８を緩方向に回転させたときには、その回転力が加わったスクリューキャップ８と、緩方向に回転不能なタンパーエビデンス環状部９と、の間を連結している脆弱な架橋部８３が捩られて破断する。従って、図８に示すように、スクリューキャップ８だけをスパウト７から取り外すことができ、スパウト７の外周面には、タンパーエビデンス環状部９が残っている。小突部７３の外径はタンパーエビデンス環状部９の上方内周面の内径よりも僅かに大きいので、スパウト７に残ったタンパーエビデンス環状部９を上方に引張っても、タンパーエビデンス環状部９の上端面が小突部７３の下方に係止されるので、タンパーエビデンス環状部９を上方に移動させることは困難である（すなわち、タンパーエビデンス環状部９は抜脱困難である）。
【００３３】
＜アダプタを備えるスパウト付きパウチの使用について＞
図１に示すスパウト付きパウチ１０から充填物を注出する際には、アダプタ１を使用する。
スクリューキャップ８によって閉栓されたスパウト付きパウチ１０からスクリューキャップ８を緩方向に回してこれを取り外す。スクリューキャップ８を取り外した後には、上述のように、タンパーエビデンス環状部９が抜脱困難な状態でスパウト７に係止されている、スパウト付きパウチ１０が得られる。ただし、抜脱困難とは、人力で引張ったり或いは回したりしても簡単には抜けないという意味である。
【００３４】
次に、アダプタ１をスパウト７に嵌め且つアダプタ１を締方向に回していく。アダプタ１の取付部３をスパウト７のネジ部７１に螺合させていくと、アダプタ１の爪部５１が僅かに変形しながらアダプタ１の延出部５がタンパーエビデンス環状部９の外周面の外側に嵌っていく。スパウト７の上端面がアダプタ１の取付部３の内部に形成された段部に当接すると、アダプタ１の通路１１とスパウト７の注出口が水密状態で一体化して、アダプタ１の取付部３がネジ部７１に完全に螺合する（図９及び図１０参照）。これと略同時に、アダプタ１の爪部５１の爪部係合面５１２が、タンパーエビデンス環状部９の下端面９ａに係止される。
【００３５】
タンパーエビデンス環状部９はスパウト７に抜脱困難に係止されているので上方に引き抜くことが困難である。このタンパーエビデンス環状部９の下端面にアダプタ１の爪部５１が係止されている。よって、アダプタ１を緩方向に回転させようとしても、上方へ移動し難いタンパーエビデンス環状部９に係止されたアダプタ１を、上方に移動させることは困難である。
従って、アダプタ１の取付部３がスパウト７から緩むことがない。
なお、アダプタ１がスパウト７から緩まないとは、全く動かないという意味ではなく、アダプタ１がスパウト７に対して完全に螺合した状態を維持できるという意味である。
【００３６】
アダプタ１をスパウト７に螺合させた後、アダプタ１の接続部２にチューブ部材（図示せず）を取り付ける。チューブ部材は、特に限定されず、単なる柔軟な管（ゴム管や柔軟なプラスチック管など）でもよいし、或いは、特開２００９−１３６４２７号に開示されたような接続管付きの胃ろうカテーテルなどでもよい。
このチューブ部材を通じて、袋６内の充填物を注出できる。
【００３７】
本発明のアダプタ１は、スパウト７に取り付けた後に緩方向に回転させることができない又は僅かしか回転させることができないので、スパウト７から緩まない。
従って、このアダプタ１を備えるスパウト付きパウチ１０は、使用中に、アダプタ１とスパウト７の間から充填物が液漏れすることがない。さらに、患者などの使用者やその補助者が誤ってアダプタ１を回そうとしても、アダプタ１がスパウト７から緩むこともない。
【００３８】
さらに、上記アダプタ１を備えるスパウト付きパウチ１０によれば、患者などの使用者やその補助者が、次のように使用することを防止できる。その使用とは、充填物の注出を一旦止めてアダプタ１をスパウト７から外し、スパウト７をスクリューキャップ８にて閉栓してスパウト付きパウチ１０を保管しておき、時間を置いて、残る充填物を注出するために、再度アダプタ１を取り付けるというものである。このような使用では、スパウト７やアダプタ１などの汚染が懸念されるが、本発明のアダプタを備えるスパウト付きパウチ１０は、そのような使用法ができないので、衛生的である。
【００３９】
本発明によれば、スクリューキャップ８を取り外し後にスパウト７に残存するタンパーエビデンス環状部９を有効利用して、アダプタ１の緩みを防止できる。一般に、タンパーエビデンス環状部９はスクリューキャップ８の開栓有無を判別するために設けられ、スクリューキャップ８を正規に開栓した後にはタンパーエビデンス環状部９は存在意義が無くなる。本発明者らは、不要になってしまったタンパーエビデンス環状部９がスパウト７に対して抜脱困難であることに着目し、上述のようにこれを有効利用したものであって、このような着想は、従来にない新規な着想である。
【００４０】
なお、本発明のアダプタ及びこれを備えるスパウト付きパウチ１０は、上記実施形態に限られず、本発明の意図する範囲で適宜変更できる。
例えば、上記実施形態のアダプタ１の接続部２の形状は、次第に小径となる略円錐台筒状であるが、例えば、特開２００９−１３６４２７号公報に記載されたように、接続部が、突起形状が異なる小径接続部及び大径接続部を有する形状に形成されていてもよい。
また、上記実施形態のアダプタ１は、中間部４を有するが、中間部４を有しないアダプタであってもよい。この場合、接続部２と取付部３が直接一体的に形成される。
【００４１】
さらに、上記実施形態のアダプタ１の延出部５は、タンパーエビデンス環状部９の外周面全体を覆う筒状であるが、延出部５は筒状に限定されず、例えば、図１１に示すように、延出部５が湾曲した板状に形成され、この湾曲板状の延出部５が取付部３の下端部の周方向に所定間隔を開けて複数設けられ、各湾曲板状の延出部５の下方部５ａの内周面から爪部が突設されていてもよい。
【００４２】
また、上記実施形態において、爪部５１は、延出部５の下方部５ａに部分的に設けられているが（図３では、爪部５１は４箇所から部分的に突設されている）、図１２に示すように、爪部５１が、延出部５の下方部５ａの周方向全体に亘って突設されていてもよい。
【産業上の利用可能性】
【００４３】
本発明のアダプタは、経腸栄養剤などを充填したスパウト付きパウチのスパウトとチューブ部材の間に取り付け、チューブ部材を通じてパウチ内の充填物を注出するために使用できる。
【符号の説明】
【００４４】
１…アダプタ、２…アダプタの接続部、３…アダプタの取付部、４…アダプタの中間部、５…アダプタの延出部、５１…爪部、６…袋、７…スパウト、７１…スパウトのネジ部、８…スクリューキャップ、９…タンパーエビデンス環状部、１０…スパウト付きパウチ
【図１】
0005552677.tif 000002
【図２】
0005552677.tif 000003
【図３】
0005552677.tif 000004
【図４】
0005552677.tif 000005
【図５】
0005552677.tif 000006
【図６】
0005552677.tif 000007
【図７】
0005552677.tif 000008
【図８】
0005552677.tif 000009
【図９】
0005552677.tif 000010
【図１０】
0005552677.tif 000011
【図１１】
0005552677.tif 000012
【図１２】
0005552677.tif 000013